【手続補正書】
【提出日】平成25年12月12日(2013.12.12)
【手続補正１】
【補正対象書類名】特許請求の範囲
【補正対象項目名】全文
【補正方法】変更
【補正の内容】
【特許請求の範囲】
【請求項１】
診断又は治療処置において解剖学的指針を術中に提供するシステムにおいて、
（ａ）可視光線を生体の対象部位に放射するように構成された第１の光源と、
（ｂ）近赤外線光線を前記対象部位に放射するように構成された第２の光源と、
（ｃ）前記第２の光源に光学的に結合されたハンドヘルドプローブであって、前記対象部位を照明するように、放射された近赤外線光線を送るように構成されるとともに、前記第２の光源による照明に応答して、前記対象部位の標的組織内に導入された造影剤から散乱又は放射される光を収集するように構成された光ファイバを備える、ハンドヘルドプローブと、
（ｄ）前記ハンドヘルドプローブに光学的に結合され、前記収集された光を検出し、収集光データを含む対応する信号を生成するように構成された第１の撮像装置であって、前記ハンドヘルドプローブが、前記光ファイバを通して前記収集光を前記第１の撮像装置に送るようにさらに構成される、第１の撮像装置と、
（ｅ）前記第１の光源による照明に応答して、前記対象部位から放射される可視光を検出し、可視光データを含む対応する信号を生成するように構成された第２の撮像装置と、
（ｆ）前記第２の光源による照明に応答して、前記対象部位から放射される第１の所定の波長を有する近赤外線光を検出し、第１の組の近赤外線光データを含む対応する信号を生成するように構成された第３の撮像装置と、
（ｇ）前記第２の光源による照明に応答して、前記第１の所定の波長と異なる第２の所定の波長を有し、前記対象部位から放射される近赤外線光を検出し、第２の組の近赤外線光データを含む対応する信号を生成するように構成された第４の撮像装置と、
（ｈ）データの少なくとも１つの視覚表現を表示するディスプレイと、
（ｉ）前記第１の光源、前記第２の光源、前記第１の撮像装置、前記第２の撮像装置、前記第３の撮像装置、前記第４の撮像装置、及び前記ディスプレイのそれぞれと通信し、前記収集光データ、前記可視光データ、前記第１の組の近赤外線光データ、及び前記第２の組の近赤外線光データのそれぞれから前記対象部位の少なくとも１つのリアルタイム積分視覚表現を生成し、前記診断又は治療処置中の指針として、前記少なくとも１つのリアルタイム視覚表現を前記ディスプレイに表示するようにプログラムされたコントローラと、
を備えることを特徴とする、システム。
【請求項２】
請求項１に記載のシステムにおいて、それぞれ、前記造影剤がラマンプローブ及び蛍光プローブのうちの少なくとも一方を含み、前記収集光データがラマンデータ及び蛍光データのうちの少なくとも一方を含むことを特徴とする、システム。
【請求項３】
請求項２に記載のシステムにおいて、前記少なくとも１つの積分視覚表現が、前記可視光データから生成される前記対象部位の広視野像と、前記広視野像内に画定され、前記生成される第１の組の近赤外線光データ及び前記生成される第２の組の近赤外線光データのうちの少なくとも一方から生成される前記対象部位のうちの選択された部位のレーザ励起像と、前記ラマンデータから生成されるラマン像及び前記蛍光データから生成される蛍光像のうちの少なくとも一方とを含み、前記ラマン像及び前記蛍光像のうちの少なくとも一方が、前記広視野像及び前記レーザ励起像内に画定されることを特徴とする、システム。
【請求項４】
請求項３に記載のシステムにおいて、前記ラマン像及び前記蛍光像のうちの少なくとも一方が、前記レーザ励起像上のオーバーレイ像であることを特徴とする、システム。
【請求項５】
請求項１に記載のシステムにおいて、前記第１の撮像装置が分光計を含み、前記第２の撮像装置、前記第３の撮像装置、及び前記第４の撮像装置のそれぞれがＣＣＤカメラを含むことを特徴とする、システム。
【請求項６】
積分明視野撮像と、近赤外線撮像と、ラマン撮像及び蛍光撮像のうちの少なくとも一方とを使用して、生体の対象部位内の標的組織を術中に評価する撮像システムにおいて、
（ａ）前記対象部位に可視光線を送る第１の光源及び前記対象部位に近赤外線光線を送る第２の光源と、
（ｂ）ラマン及び蛍光撮像手段であって、
（ｉ）前記第２の光源に光学的に結合され、前記対象部位の標的組織を照明するように前記近赤外線光を送り、前記標的組織に導入され、前記第２の光源により照明されるラマンプローブ及び蛍光プローブのうちの対応する少なくとも一方からの散乱光及び放射光のうちの少なくとも一方を収集するハンドヘルドプローブ、及び
（ｉｉ）前記ハンドヘルドプローブと通信し、前記収集散乱光からのラマンデータ及び前記収集放射光からの蛍光データのうちの少なくとも一方を得る第１の撮像装置
を備える、ラマン及び蛍光撮像手段と、
（ｃ）明視野撮像手段であって、
（ｉ）前記第１の光源による照明に応答して、前記対象部位から放射される可視光から可視光データを得る第２の撮像装置、
（ｉｉ）前記第２の光源による照明に応答して、前記対象部位から放射される第１の所定の波長を有する第１の組の近赤外線データを得る第３の撮像装置、及び
（ｉｉｉ）前記第２の光源による照明に応答して、第１の所定の波長と異なる第２の所定の波長を有し、前記対象部位から放射される第２の組の近赤外線データを得る第４の撮像装置
を備える、明視野撮像手段と、
（ｄ）データの少なくとも１つの視覚表現を表示するディスプレイと、
（ｅ）前記第１の光源、前記第２の光源、前記第１の撮像装置、前記第２の撮像装置、前記第３の撮像装置、前記第４の撮像装置、及び前記ディスプレイのそれぞれと通信し、前記可視光データ、前記第１の組の近赤外線光データ、前記第２の組の近赤外線光データ、及びラマンデータ及び蛍光データのうちの少なくとも一方から前記対象部位の少なくとも１つの積分視覚表現をリアルタイムで生成し、前記積分視覚表現を前記ディスプレイに表示して、診断又は治療処置を実行する指針を提供するようにプログラムされたコントローラと、
を備えることを特徴とする、システム。
【請求項７】
請求項６に記載の撮像システムにおいて、前記明視野が、
（ｉｖ）光学ポートと、
（ｖ）ＵＶ−ＮＩＲコンパクトレンズ及び第１の色収差補正レンズを備えるシステムレンズと、
（ｖｉ）銀鏡と、
（ｖｉｉｉ）第１のダイクロイックミラー及び第２のダイクロイックミラーと、
（ｉｘ）第１のショートパスフィルタ及び第２のショートパスフィルタと、
（ｘ）減光フィルタと、
（ｘｉ）バンドパスフィルタと、
（ｘｉｉ）ロングパスフィルタと、
（ｘｉｉｉ）第２の色収差補正レンズ、第３の色収差補正レンズ、及び第４の色収差補正レンズと、
をさらに備え、
前記光学ポート及び前記第１の撮像装置が間に、前記銀鏡と、前記第１のダイクロイックミラーと、前記第２のダイクロイックミラーと、前記第２の色収差補正レンズとを有する第１の光路を画定し、前記光学ポート及び前記第２の撮像装置が間に、前記銀鏡と、前記第１のダイクロイックミラーと、前記第２のダイクロイックミラーと、前記減光フィルタと、前記第３の色収差補正レンズとを有する第２の光路を画定し、前記光学ポート及び前記第３の撮像装置が間に、前記銀鏡と、前記第１のダイクロイックミラーと、前記ロングパスフィルタと、前記バンドパスフィルタと、前記第４の色収差補正レンズとを有する第３の光路を画定することを特徴とする、撮像システム。
【請求項８】
請求項６に記載の撮像システムにおいて、前記対象部位の前記少なくとも１つのリアルタイム積分視覚表現が、前記可視光データから生成される前記対象部位の広視野像と、前記第１の組の近赤外線光データ及び前記第２の組の近赤外線光データのうちの少なくとも一方から生成される、前記広視野像内に画定される所定の部位のレーザ励起像と、前記ラマンデータ及び前記蛍光データのうちの対応する少なくとも一方から生成されるラマン像及び蛍光像のうちの少なくとも一方とを含むことを特徴とする、撮像システム。
【請求項９】
請求項８に記載の撮像システムにおいて、
（ａ）前記レーザ励起像が、前記広視野像上のオーバーレイ像であり、前記対象部位内の近赤外線光線が送られた位置を表し、
（ｂ）前記ラマンデータ及び前記蛍光データのうちの少なくとも一方が、事前定義された閾値レベルを超えた場合、前記標的組織内の疾病を示す信号により表され、（ｃ）前記ラマン像及び前記蛍光像のうちの少なくとも一方が、前記レーザ励起像上のカラーオーバーレイ像であり、前記事前定義される閾値レベルを超える信号のレベルを表す不透明度を有し、
（ｄ）前記カラーオーバーレイ像の不透明度が、時間の経過に伴って低下し、前記レーザ励起像に相対して徐々に透明になることを特徴とする、撮像システム。
【請求項１０】
診断又は治療処置において解剖学的指針を術中に提供する方法において、
（ａ）少なくとも１つの造影剤を、生体の対象部位にある標的組織に導入するステップと、
（ｂ）第１の光源を使用して可視光線を前記対象部位に放射するステップと、
（ｃ）第２の光源を使用して近赤外線光線を前記対象部位に放射するステップと、
（ｄ）前記第２の光源に光学的に結合されたハンドヘルドプローブの光ファイバを使用して、前記対象部位を照明するように前記放射された近赤外線光線を送るステップと、
（ｅ）前記ハンドヘルドプローブの前記光ファイバを使用して、前記第２の光源による照明に応答して、前記造影剤からの散乱光及び放射光のうちの少なくとも一方を収集するステップであって、前記造影剤がラマンプローブ及び蛍光プローブのうちの少なくとも一方を含むステップと、
（ｆ）前記光ファイバに光学的に結合された第１の撮像装置を使用して、前記収集光を検出し、収集光データを含む対応する信号を生成するステップであって、前記光ファイバが前記収集光を第１の撮像装置に送るようにさらに構成されるステップと、
（ｇ）第２の撮像装置を使用して、前記第１の光源による照明に応答して前記対象部位から放射される可視光を検出し、可視光データを含む対応する信号を生成するステップと、
（ｈ）第３の撮像装置を使用して、前記第２の光源による照明に応答して前記対象部位から放射される、第１の所定の波長を有する近赤外線光を検出し、第１の組の近赤外線光データを含む対応する信号を生成するステップと、
（ｉ）第４の撮像装置を使用して、前記第１の所定の波長と異なる第２の所定の波長を有し、前記第２の光源による照明に応答して、前記対象部位から放射される近赤外線光を検出し、第２の組の近赤外線光データを含む対応する信号を生成するステップと、
（ｊ）前記第１の撮像装置、前記第２の撮像装置、前記第３の撮像装置、及び前記第４の撮像装置のそれぞれと通信するコントローラを使用して、前記収集光データ、前記可視光データ、前記第１の組の近赤外線データ、及び前記第２の組の近赤外線データから前記対象部位の少なくとも１つのリアルタイム積分視覚表現を生成するステップと、
（ｋ）前記コントローラと通信するディスプレイを使用して、診断又は治療処置中の指針として前記コントローラにより生成される前記少なくとも１つのリアルタイム積分視覚表現を表示するステップと、
を含むことを特徴とする、方法。
【請求項１１】
コントローラにより実行されると、外科処置において解剖学的指針を術中に提供する機能をコンピュータに実行させるコンピュータ実行可能命令を記憶したコンピュータ可読媒体において、前記機能が、
（ａ）前記コントローラと通信する第１の光源に、生体の対象部位に可視光線を放射させること、
（ｂ）光ファイバに光学的に結合され、前記コントローラと通信する第２の光源に、前記光ファイバを通して前記対象部位に近赤外線光線を放射させること、
（ｃ）ハンドヘルドプローブの前記光ファイバに、前記第２の光源による照明に応答して前記標的組織内に導入されたラマンプローブから散乱する光及び前記第２の光源による照明に応答して前記標的組織内に導入された蛍光プローブから放射される光のうちの少なくとも一方を収集させること、
（ｄ）前記コントローラ及び前記光ファイバと通信する第１の撮像装置に、前記ラマンプローブから散乱する光及び前記蛍光プローブから放射される光のうちの少なくとも一方を検出させ、前記第２の光源からの照明に応答して、前記光ファイバを通して収集させること、
（ｅ）前記第１の撮像装置に、ラマンデータを含む検出散乱光からの信号及び蛍光データを含む検出放射光からの信号のそれぞれのうちの少なくとも一方を生成させること、
（ｆ）前記コントローラと通信する第２の撮像装置に、前記第１の光源による照明に応答して前記対象部位から放射される可視光を検出させ、可視光データを含む対応する信号を生成させること、
（ｇ）前記コントローラと通信する第３の撮像装置に、前記第２の光源による照明に応答して前記対象部位から放射される、第１の所定の波長を有する近赤外線光を検出させ、前記第３の装置に、第１の組の近赤外線光データを含む対応する信号を生成させること、
（ｈ）前記コントローラと通信する第４の撮像装置に、前記第１の所定の波長と異なる第２の所定の波長を有し、前記第２の光源による照明に応答して前記対象部位から放射される近赤外線光を検出させ、第２の組の近赤外線光データを含む対応する信号を生成させること、
（ｉ）前記可視光データと、前記第１の組の近赤外線データと、前記第２の組の近赤外線データと、前記ラマンデータ及び前記蛍光データのうちの少なくとも一方とから、前記対象部位の少なくとも１つのリアルタイム積分視覚表現を生成すること、並びに
（ｊ）前記コントローラと通信するディスプレイに、診断又は治療処置中の指針のために、生成された少なくとも１つのリアルタイム積分視覚表現を表示させること
を含むことを特徴とする、コンピュータ可読媒体。